(57)【要約】【課題】ナットの戻り回転防止機能が高い線材製クリップを提供する。【手段】クリップ１はボルト１２の谷１６に嵌まり込む環状本体部２と、環状本体部２の両端に設けた操作部３，４とを有している。環状本体部２は少なくとも一巻されており、このため両操作部３，４を互いに近づけると環状本体部２は広がり変形する。環状本体部２のうちナット１１に近い部分か又は操作部３，４に、ナット１１の頂面に点接触に近い状態で当接するストッパー部８，９が設けられている。ナット１１が戻り回転しようとすると、回転トルクの垂直分力によってストッパー部８，９がボルト１２の軸方向に押圧されることにより、環状本体部２がボルト１２の山１５に強く押圧される。また、環状本体部２の一端部２ａが他端部２ｂを乗り越える現象が生じて、環状本体部２でボルト１２が締め付けられる。【選択図】図３
2010121708.tif 000002
【特許請求の範囲】
【請求項１】
緩んだナットがボルトから脱落するのを防止するために前記ボルトの露出部に取り付ける線材製のクリップであって、
前記ボルトの谷に嵌まり込んでボルトを抱き締める環状本体部と、前記環状本体部の両端に曲げ形成した一対の操作部とを有しており、前記環状本体部は少なくともボルトを一巻きしており、このため前記２つの操作部を互いに近づけると環状本体部が広がり変形する、
という構成において、
前記環状本体部の端部又は操作部でかつナットの頂面と対向する部分に、ナットの頂面に狭い面積で当接するストッパー部が設けられている、
ナット脱落防止用クリップ。
【請求項２】
前記両操作部は、環状本体部から遠ざかってのち再び環状本体部に近づくようにカールしており、前記両操作部のうち何れか一方又は両方の先端を前記ストッパーと成している、
請求項１に記載したナット脱落防止用クリップ。
【請求項３】
前記一対の操作部は、ボルトの軸方向から見て環状を成すようにカールしていると共に先端は環状本体部に近接しており、このためラジオペンチ状の工具で一対の操作部を近接させることが可能ならしめられており、かつ、前記一対の操作部の先端は、ボルトの軸線と直交した方向から見て環状本体部を挟んだ一方の側と他方の側とに位置しており、このため一対の操作部の先端がいずれも前記ストッパー部になっている、
請求項２に記載したナット脱落防止用クリップ。
【請求項４】
前記一対の操作部は、人が指先を当てて互いに接近させ得るようにボルトの軸心方向から見ておおよそ直線状に延びる姿勢になっている、
請求項２に記載したナット脱落防止用クリップ。
【請求項５】
前記環状本体部は略一巻より僅かに長い長さであり、このため、前記環状本体部はボルトの軸線と直交した方向から見ると２つの半円状部がＶ字状に交叉した形態になっており、前記環状本体部を構成する２つの半円状部の両端に、環状本体部の外側に突出した操作部が曲げ形成されており、かつ、前記半円状部とこれに形成された操作部とは、ボルトの軸線と直交した方向から見た状態で両操作部の広がり角度が２つの半円状部の広がり角度よりも大きくなるように屈曲しており、これにより、両操作部の付け根寄りの部位を前記ストッパー部と成している、
請求項１に記載したナット脱落防止用クリップ。
【発明の詳細な説明】
【技術分野】
【０００１】
本願発明は、振動等で緩んだナットがボルトから脱落することを防止するために使用するクリップに関するものである。
【背景技術】
【０００２】
送電用鉄塔に使用するナットや鉄道レールの固定に使用するナットなど、振動によってナットが緩むことがある。そこで、ナットの緩み防止やボルトからの脱落防止のため、鋼線やステンレス線等の金属線材で作られたクリップをボルトの露出部に取り付けることが提案され、かつ、実施されている。
【０００３】
その例として特許文献１には、ボルトの谷に嵌まり込む環状本体部の両端に人が指先を当て得る摘まみ部を曲げ形成してなるホースバンド方式のクリップが提案されている。また、特許文献２には、環状本体部の両端にナットの側面に引っ掛かる鉤部を曲げ形成したものが開示されており、更に、特許文献３には、ボルトにぐるぐる回る状態で抱き付くように二巻以上に巻かれたクリップが開示されている。線材製のクリップは、安価である利点やボルトへの取り付けが容易である利点、或いは、ボルトやナットには特別の加工が不要で既存のボルトにそのまま適用できるといった利点がある。
【特許文献１】実開昭６１−２２９１６号のマイクロフィルム
【特許文献２】実開昭５７−６８１８号のマイクロフィルム
【特許文献２】特開平０９−１４４７３９号公報
【発明の開示】
【発明が解決しようとする課題】
【０００４】
各特許文献は、基本的には、環状本体部をボルトの谷に嵌め込んだ状態で弾性復元力を効かせて、弾性力でクリップ自体をボルトに回転不能に保持せんとするものであり、クリップはボルトとの間に生じている摩擦力によってボルトに保持されている。
【０００５】
しかるに、例えば送電用鉄塔に使用されるナットや鉄道レールに使用されるナットのように強い振動が作用するナットの場合、緩んだ状態においてもボルトから外れる方向に相当の大きなトルクが生じており、このため、例えば特許文献１のタイプのクリップの場合、クリップがナットと一緒に連れ回転してボルトから抜け出てしまうことがあった。
【０００６】
本願発明はこのような現状に鑑みて成されたものであり、ボルトに対する保持力が高い線材製クリップを提供せんとするものである。
【課題を解決するための手段】
【０００７】
線材製のクリップにおいて、ボルトへの保持力を高くするには当該クリップとボルトとの間の摩擦抵抗を大きくしたらよい。この点について本願発明者たちは試作と実験を繰り返しつつ分析し、各請求項の発明を完成させるに至った。
【０００８】
すなわち本願発明は、緩んだナットがボルトから脱落するのを防止するために前記ボルトの露出部に取り付ける線材製のクリップであって、前記ボルトの谷に嵌まり込んでボルトを抱き締める環状本体部と、前記環状本体部の両端に曲げ形成した一対の操作部とを有しており、前記環状本体部は少なくともボルトを一巻きしており、このため前記２つの操作部を互いに近づけると環状本体部が広がり変形する、という構成において、請求項１の発明では、前記環状本体部の端部又は操作部でかつナットの頂面と対向する部分に、ナットの頂面に狭い面積で当接するストッパー部が設けられている。
【０００９】
請求項２の発明に係るクリップは、請求項１の構成において、前記両操作部は、環状本体部から遠ざかってのち再び環状本体部に近づくようにカールしており、前記両操作部のうち何れか一方又は両方の先端を前記ストッパーと成している。
【００１０】
請求項３の発明に係るクリップは、請求項２において、前記一対の操作部は、ボルトの軸方向から見て環状を成すようにカールしていると共に先端は環状本体部に近接しており、このためラジオペンチ状の工具で一対の操作部を近接させることが可能ならしめられており、かつ、前記一対の操作部の先端は、ボルトの軸線と直交した方向から見て環状本体部を挟んだ一方の側と他方の側とに位置しており、このため一対の操作部の先端がいずれも前記ストッパー部になっている。
【００１１】
請求項４の発明に係るクリップは、請求項２の構成において、前記一対の操作部は、人が指先を当てて互いに接近させ得るようにボルトの軸心方向から見ておおよそ直線状に延びる姿勢になっている。
【００１２】
請求項５の発明に係るクリップは、請求項１において、前記環状本体部は略一巻より僅かに長い長さであり、このため、前記環状本体部はボルトの軸線と直交した方向から見ると２つの半円状部がＶ字状に交叉した形態になっており、前記環状本体部を構成する２つの半円状部の両端に、環状本体部の外側に突出した操作部が曲げ形成されており、かつ、前記半円状部とこれに形成された操作部とは、ボルトの軸線と直交した方向から見た状態で両操作部の広がり角度が２つの半円状部の広がり角度よりも大きくなるように屈曲しており、これにより、両操作部の付け根寄りの部位を前記ストッパー部と成している。
【発明の効果】
【００１３】
［分析及び請求項１の作用・効果］
さて、線材製のクリップにおいて、ボルトへの保持力を高くするには当該クリップとボルトとの間の摩擦抵抗を大きくしたらよい。この点については、線材を太くしたり巻数を大きくしたりすれば良いと考えられるが、線材の太さはボルトのピッチで規制されるためむやみに大きくすることはできず、また、一般にボルトの露出部はねじ山２ピッチ分程度しか露出していないことが多いため、クリップの巻数を増やすこともさほどの現実性はないと言える。
【００１４】
更に本質的な問題として、ナットの戻り回転によってクリップが広げられる傾向を呈すると推測されることがあり、このため、クリップの線径を大きくしたり巻き数を増やしたりして弾性復元力を大きくしても、顕著な効果は期待できないと言える。
【００１５】
つまり、クリップがナットの戻り回転に連れ回転するのは、ナットとクリップとの間の摩擦抵抗がクリップとボルトとの間の摩擦抵抗よりも大きいからであるが、ナットがボルトから外れる方向に戻り回転すると、クリップのうちナットに接触している部分は接戦方向に押圧され、すると、クリップは拡径するように変形する傾向を呈し、これにより、クリップとボルトとの間の摩擦抵抗が小さくなって、ボルトに対するクリップの保持力が低下すると推測されるのである。
【００１６】
本願発明者たちは、加振械を使用して特許文献１のクリップと本願発明品との性能差を同一条件下で実験してみた。すなわち、ボルトにねじ込んだナットでワークを押さえ固定した試材を製作し、ボルトの露出部にクリップを取り付けて試材に強い振動を加えるという試験をした。すると、本願発明のクリップは特許文献１のクリップに対して抜け止め効果が著しく高いことが実証された。
【００１７】
同じ条件の下で本願発明のクリップが回り止め機能に優れているのはストッパー部が存在するからであるが、ストッパー部の機能として、まず、ナットの戻り回転トルクが環状本体部をナットの谷に強く押圧するように作用し、これによってクリップの環状本体部とボルトとの間の摩擦抵抗が大きくなるためと解される。更に、ストッパー部の存在により、環状本体部の一端部と他端部とのうちナットに当たっている一端部が他端部の外側にはみ出る現象を呈し、その結果、環状本体部でボルトを縛る状態になって強い締め付け力が発生していると解される。いずれにしても、詳細は実施形態の欄で図面を参照して説明する。
【００１８】
本願発明ではクリップに操作部を設けているため、クリップは人が簡単にボルトに着脱することができる。従って、例えば鉄塔での作業や線路での作業のように現場での作業の容易性・迅速性という要請にも的確に応えることができる。
【００１９】
［請求項２〜４の効果］
ストッパー部はクリップとは別部材として取り付けることも可能であるが、請求項２のように操作部の先端をストッパー部として活用すると、製造するに当たっての加工や部材管理の手間を少なくしてコスト抑制に貢献できる。
【００２０】
また、請求項３の構成を採用すると、クリップをボルトに取り付けるに際しての方向性がなくなり、２つの操作部のいずれを先にした姿勢でもボルトに取り付けることができるため、作業の容易性と迅速性とに一層貢献できる利点がある。また、請求項４の構成を採用すると、工具を使用することなく、クリップは人が手で摘んで簡単にボルトに着脱することができる。
【００２１】
［請求項５の効果］
請求項５の構成を採用すると、環状本体部に対する操作部の角度を変えるだけの簡単な構成で操作部の付け根部がストッパー部になるため、製造コストを抑制できる。また、一対の操作部にストッパーが形成されており、クリップはいずれの操作部を先にした姿勢でもボルトに取り付けできるため、取り付けの方向性がなくて作業性か格段に向上する利点もある。
【発明を実施するための最良の形態】
【００２２】
次に、本願発明の実施形態を図面に基づいて説明する。図１〜図４では第１実施形態を示し、図５以下では他の実施形態を示している。以下、順次説明する。以下の説明では、説明の簡略化のため、ボルトの軸線方向から見た方向を平面視と言い、ボルトの軸線と直交した方向から見た正面視という。また、「上向き」とはボルトの先端に向いた方向をいう。
【００２３】
(1).第１実施形態の構造
まず、図１〜図３に基づいて第１実施形態の構造を説明する。図１のうち（Ａ）はクリップ１の平面図（ナット１１を一点差線で表示している）で（Ｂ）は側面図、図２は締結部とクリップ１との分離正面図、図３のうち（Ａ）はクリップ１の使用状態での一部破断平面図で（Ｂ）は（Ａ）のＢ−Ｂ視断面図である。
【００２４】
図２に示すように、クリップ１は、ボルト１２及びナット１１でワーク１３，１４が締結された締結部に使用される。ボルト１２はナット１１を締め込んだ状態で先端側の山１５が２〜３山程度が露出している。
【００２５】
クリップ１は例えばステンレス線材製であり、ボルト１２の谷１６に嵌まる環状本体部２と、環状本体部２の一端に設けた第１操作部３及び環状本体部２の他端に設けた第２操作部４とから成っている。環状本体部２はボルト１２をほぼ一周するように一巻されたシングルループ状態になっており、環状本体部２の一端部２ａと他端部２ｂとは平面視で交差している（重なりなっている。）。
【００２６】
図３（Ｂ）に示すよう、クリップ１の外径Ｄはボルト１２のねじ山１５のピッチＰより小さい寸法であり、従って、環状本体部２をボルト１２の谷１６に嵌め込むと図３（Ｂ）に示すように環状本体部２の一端部２ａと他端部２ｂとは離反しているが、ボルト１２に取り付ける前の製造段階では、図２（Ｂ）に示すように環状本体部２の一端部２ａと他端部２ｂとは密接又は近接している。これは、ボルト１２の山１５を環状本体部２で挟み勝手とすることにより、環状本体部２によるボルト１２の抱持力をできるだけ大きくするための措置である。
【００２７】
環状本体部２の一端部２ａと他端部２ｂとは平面視で互いに反対方向に延びており、そして、環状本体部２の一端部２ａと他端部２ｂとから操作部３，４の一部を成す直線部５が延びている。２つの直線部５は平面視で一直線の姿勢に延びており、両直線部５に、当該直線部５の外側に向かってから再び直線部５に向けて延びる平面視略円形のカール部６，７が一体に連続している。従って、２つのカール部６，７でメガネ状態になっている。
【００２８】
両カール部６，７の先端はそれぞれ平面視で直線部５と重なる位置まで延びており、第１カール部６の先端を第１ストッパー部８ａとなし、第２カール部７の先端を第２ストッパー部８ｂと成している。この場合、両ストッパー部８ａ，８ｂは環状本体部２から離れるように互いに離反している。また、両ストッパー部８ａ，８ｂが直線部５と重なっているため、図２に示すように、カール部６，７は先端に行くに従って直線部５から離れるように傾斜している。
【００２９】
本実施形態では、左右カール部６，７の中心間の間隔寸法を環状本体部２の外径と概ね同じ程度に設定しているが、操作部３，４が環状本体部２から張り出す寸法は任意に設定できる。本実施形態では、カール部６，７は平面視においてカールしているので、クリップ１は全体としてと平坦に近い形態になっている。本実施形態のクリップ１は、ラジオペンチのような２つの拡閉部材を有する工具でカール部６，７を互いに近づけることで環状本体部２を広げることができる。これにより、ボルト１２への着脱をワンタッチで行える。工具を使用せずに、クリップ１をボルト１２にねじ込むことも可能である。
【００３０】
(2).第１実施形態の作用
次に、主として図４を参照して作用を説明する。図４のうち（Ａ）は図３（Ａ）の IVA-IVA視断面図を基調としつつ図３（Ａ）のＡ−Ａ視における環状本体部２の一端部２ａも表示した図である。（Ｂ）〜（Ｄ）は作用を説明するための模式図である。
【００３１】
クリップ１をボルト１２に取り付けると、クリップ１はその環状本体部２がボルト１２の谷１６に嵌まり込んでおり、図４（Ｂ）に示すように、クリップ１は自身の弾性復元力によってボルト１２に抱き付いた状態になっている。この状態では、クリップ１のうちいずれか一方のストッパー部８ａ，８ｂがナット１１の頂面１１ａに近接又は当接している。敢えて述べるまでもないが、クリップ１をボルト１２に取り付けた状態では、ストッパー部８ａ，８ｂはナット１１に当たっていなくてもよい。
【００３２】
ナット１１が振動等によって緩むことで戻り方向のトルクが発生すると、ナット１１の頂面１１ａによってクリップ１のストッパー部８ａ，８ｂが押圧される。この場合、ナット１１の戻り回転トルクＦはねじ山１５の螺旋方向に向かうが、ナット１１は回転しつつ上向き移動しようとするので、ナット１１の回転トルクＦは、円周方向に向かう水平分力Ｆ１と上方向に向かう垂直分力Ｆ２との合力になる。
【００３３】
そして、仮にナット１１とストッパー部８ａ，８ｂとの接触面積が大きいと、ナット１１の回転トルクＦの水平分力Ｆ１によってナット１１とストッパー部８ａ，８ｂとに強い摩擦力が作用し、すると、図４（Ｃ）に一点鎖線の矢印Ｘで示すように環状本体部２は拡がるような作用を受ける。その結果、環状本体部２によるボルト１２の抱持力が弱くなって、クリップ１がナット１１と簡単に連れ回転する。従来品はこのように推測される。
【００３４】
他方、本願発明では、ナット１１の頂面１１ａはストッパー部８ａ，８ｂに対して点接触に近い状態で当たっているに過ぎないため、ナット１１と頂面１１ａとストッパー部８ａ，８ｂとの摩擦抵抗はさほど大きくなく、他方、ナット１１に作用したトルクの垂直分力Ｆ１がストッパー部８ａ，８ｂに強く作用してストッパー部８ａ，８ｂは上向きに強く押圧される。
【００３５】
すると、図４（Ｄ）に示すように、環状本体部２は上向きに押し曲げられるような作用を受けて、環状本体部２のうちナット１１に近い部分がボルト１２の山１６に強く押し付けられるのであり、その結果、ボルト１２と環状本体部２との間に強い摩擦抵抗が生じてナット１１の戻り回転に対して強い抵抗が発生する。本願発明の作用はこのように推測される。ストッパー部８ａ，８ｂはできるだけボルト１２に近づけるのが好ましいと言える。
【００３６】
さて、従来品について述べると、従来品も環状本体部の端部がナットの頂面に当たっているが、ボルトのねじ山のリード角はさほど大きくないため、従来品はクリップの環状本体部がナットの頂面に線接触の状態でかなり長い範囲で当っており、このため、ナットと環状本体部と間には強い摩擦抵抗が存在しており、このナットと環状本体部との間に発生している強い摩擦抵抗の故に、クリップの環状本体部はナットの戻り回転トルクによって戻し回転方向に強く押しやられる傾向を呈しており、このため、クリップは拡径する傾向を呈してボルトとの間の摩擦抵抗は小さくなり、その結果、クリップが簡単にナットと連れ回転してしまっていたと推測される。
【００３７】
これに対して本願発明では、上記のとおり、ストッパー部８ａ，８ｂの存在により、ナット１１の戻り回転に際して、環状本体部２の一端部２ａが円周方向に押し戻される力よりも軸方向に押しやられる力が強くなっており、その結果、クリップ１が簡単に連れ回転することが防止されていると推測される。更に本願発明では、ナット１１の戻り回転によってクリップ１がボルト１２を強く縛るようにな現象も見られる。この点は他の実施形態を例に挙げて説明する（第１実施形態とも共通した作用である）。
【００３８】
(3).第１実施形態に関する補足
既述のとおり、クリップ１は工具を使用しなくてもボルト１２にねじ込んで取り付けることが可能である。その場合、本実施形態のように操作部３，４に直線部５を形成すると、直線部５がボルト１２の谷１６への誘い込み作用を果たすため、取り付け（ねじ込み）の容易性が高くなる利点がある。
【００３９】
また、発明の効果でも述べたように、正面視においてストッパー部８ａ，８ｂが環状本体部２を挟んだ上下両側に位置しているため、クリップ１は両ストッパー部８ａ，８ｂのいずれを先にした姿勢でもボルト１２に取り付けることができる。すなわち取り付けるに際しての方向性がない。この面においても作業性向上に貢献できる。言うまでもないが、ストッパー部８ａ，８ｂは両カール部６，７のうち片方のみに設けてもよい。
【００４０】
(4).第２〜第４実施形態（図５〜図６）
図５では第２及び第３実施形態を示している。図５のうち（Ａ）〜（Ｃ）は第２実施形態であり、（Ａ）は平面図、（Ｂ）は（Ａ）の右側面図、（Ｃ）は（Ａ）の正面図である。この第２実施形態では、環状本体部２は３６０°よりも若干大きい範囲で巻かれており、従って、環状本体部２は平面視で重なり合った重合部２ｃ，２ｄを有している。
【００４１】
また、第２実施形態では、操作部３，４はカール部６，７を有するが、第１実施形態とは異なって、人が指で摘まみ得るように平面視で略直線状に延びる姿勢になっており、側面視で同じ方向に突出している。そして、環状本体部２の両端部２ａ，２ｂのうちカール部６，７の突出方向と反対側に位置した第１端部２ａに設けた第１操作部３にストッパー部８を設けている。
【００４２】
図５のうち（Ｄ）（Ｅ）では第３実施形態を示している。（Ｄ）は平面図、（Ｅ）は正面図である。この実施形態も第２実施形態と同様に環状本体部２は重合部２ｃ，２ｄを有しており、かつ、操作部３，４も第２実施形態と概ね同じ形態である。そして、この第３実施形態では、環状本体部２における２つの重合部２ｃ，２ｄのうち操作部３，４の突出方向と反対側に位置した重合部２ｄに、金属板等からなるストッパー部８を設けている。ストッパー部８は重合部２ｄに溶接しても良いし、単に巻き付けて取り付けただけでも良い。
【００４３】
図６では第４実施形態を示している。（Ａ）は平面図、（Ｂ）は（Ａ）のＢ−Ｂ視断面図である。この第４実施形態は図５（Ａ）〜（Ｃ）の第２実施形態と同様に２つの操作部３，４のうち第１操作部３にストッパー部８を形成している。但し、この第４実施形態では、第１操作部２における第１部カール部６の先端をストッパー部８と成すにおいて、ストッパー部８は環状本体部２に向けて真っ直ぐに延びている。ストッパー部８は平面視で第１カール部６の外側に延びている。
【００４４】
ストッパー部８は、（Ｂ）に実線で示すように正面視でナット１１の頂面と平行に延びる姿勢に設定しておいても良いし、（Ｂ）に一点差線で示すように環状本体部２に近づくように傾斜させても良い。ストッパー部８は仮に実線の状態であっても、ナット１１が戻り回転すると、第１カール部６が曲がることでストッパー部８は一点鎖線で示す姿勢になる。なお、第２カール部７の先端をストッパー部と成すことも可能である。
【００４５】
(5).第５実施形態（図７〜図１０）
図７〜図１０では第５実施形態を示している。図７のうち（Ａ）は平面図、（Ｂ）は正面図、（Ｃ）はクリップ１の模式的な正面図である。この実施形態は図６の第４実施形態と類似しているが、本実施形態の第１の特徴として、ボルト１２の軸線と直交した方向から見て操作部３，４が上下対称形状になっている点が挙げられる。つまり、環状本体部２は、ボルト１２の軸心と直交した方向から見た側面視で、２つの半円状部２′，２″が操作部３，４と反対側において繋がった横向きＶ形になっていて、両半円状部２′，２″の先端に操作部３，４が側面時で重なる状態で形成されている点が挙げられる。更に正確に延べると、２つの操作部３，４は、ボルト１２の軸心と直交した平面を挟んで対称状になっている。
【００４６】
本実施形態の第２の特徴として、半円状部２′，２″の先端にそれぞれ直線部５を介して操作部３，４を形成するにおいて、操作部３，４の基部（付け根寄りの部位）は側面視で半円状部２′，３′に対して若干の角度θだけ上下外側に屈曲しており、このため、両操作部３，４の基部が成す開き角度は半円状部２′，２″の開き角度よりも２θだけ大きくなっている。そして、このように両操作部３，４の基部を側面視で半円状部２′，２″に対して屈曲させることにより、両操作部３，４における付け根寄りの部位をストッパー部８と成している。
【００４７】
本実施形態では、クリップ１を構成する線材の外径はボルト１２のピッチＰとほぼ同じかやや小さい寸法に設定している。従って、図８に示すように、無負荷状態では環状本体部２の両端部は２ａ，２ｂは上下方向（ボルト１２の軸方向）に当接又は近接している。また、無負荷状態では、クリップ１のうちストッパー部８がナット１１の外周縁に当接している。
【００４８】
そして、ナット１１が戻り回転すると、図９（Ａ）に示すように、ナット１１でストッパー部８が押し上げられることで、環状本体部２の一端部２ａが他端部２ｂを乗り越える現象が見られ、この乗り越え現象は、操作部３，４と反対側において環状本体部２がナット１１の頂面に当接するまで続く。環状本体部２の一端部２ａが他端部２ｂを乗り越えることによってクリップ１は変形しているが、この変形により、環状本体部２はボルト１２を強烈に縛る状態になっており、その結果、クリップ１とボルト１２との間に極めて高い摩擦抵抗が発生してナット１１の戻り回転が停止する。
【００４９】
図１０では、クリップ１の作用を写真でより明瞭に示している。図１０のうち（Ａ）は無負荷状態での正面図、（Ｂ）は無負荷状態での平面図であり、この条板では、環状本体部２の一端部２ａと他端部２ｂとは上下に完全に重なり合っている。図１０のうち（Ｃ）〜（Ｆ）はナット１１が戻り回転してから停止した状態を示しており、（Ｃ）は正面図、（Ｄ）は平面図、（Ｅ）は右側面図、（Ｆ）は左側面図である。
【００５０】
（Ｃ）〜（Ｄ）から理解できるように、ナット１１の戻り回転が進行して環状本体部２の一端部２ａが他端部２ｂを乗り越えると、環状本体部２は第２操作部４に近い部分を除いた広い範囲でナット１１の頂面に当接している。そして、環状本体部２の一端部２ａが他端部２ｂを乗り越えると、環状本体部２は図９に矢印Ｘで示すように強く引っ張られ、そのためにボルト１２は環状本体部２で強烈に締め付けられる。
【００５１】
他方、環状本体部２が広い範囲でナット１１に当接していると、環状本体部２はボルト１２の谷（螺旋溝）１６から外れようとしているが、環状本体部２の一端部２ａの近くが第２操作部４の付け根に下方から当接して曲げ作用を受けていることにより、環状本体部２は所定範囲以上に広がり変形することが阻止されており、その結果、環状本体部２はボルト１２の谷に嵌まった状態が保持されている。
【００５２】
視点を変えて延べると、クリップ１は、環状本体部２をボルト１２に巻き付けた状態で、両操作部３，４の付け根を絡ませるように捩じられる作用を受けているのであり、これにより、極めて高い締め付け力が維持されているのである。よって、ナット１１に強い振動が作用して戻り回転トルクが生じても、その戻り回転を途中でそしてして脱落を防止できるのである。既述のように、図９〜図１０を参照して説明した作用は他の実施形態でも見られるものである。
【００５３】
ところで、ナット１１の頂面と雌ねじ穴との境界部には、ボルト１２の誘い込みやタップの誘い込みのために一般に面取りがされており、図９（Ｂ）に示すように、面とり部１１ｂの外周縁は雌ねじ穴の仮想内周面１１ｃの半径外側に位置している。そして、本願発明では、上記のとおり環状本体部２はその広い範囲がナット１１の頂面に強く当接し得るが、図９（Ａ）の矢印Ｘのように環状本体部２に強い引っ張り力が作用することにより、環状本体部２の一部がボルト１２の山１５とナット１１の面取り部１１ｂとで形成された凹みに嵌まり込んでおり、このため、環状本体部２がボルト１２に食い込んだかのような状態になっている。その結果、環状本体部２はボルト１２から脱落することなく強烈な締め付け力が実現している。端的に延べると、ナット１１の戻り回転トルクが強ければ強いほどクリップ１がボルト１２を締め付ける力は強くなるのである。
【００５４】
(6).その他
本願発明は、上記の各実施形態の他にも様々に具体化できる。例えば環状本体部２は例えば２巻程度のように３６０°以上の範囲で巻かれていても良いし、また、操作部の形態は必ずしもカールされている必要はなく、例えば環状本体部はＬ形を成すように曲げただけの形態でも良い。人が摘んで操作する場合、操作部に樹脂製等の当て材を取り付けることも可能である。
【図面の簡単な説明】
【００５５】
【図１】第１実施形態を示す図で、（Ａ）はクリップの平面図、（Ｂ）は側面図である。
【図２】締結部とクリップとの分離正面図である。
【図３】（Ａ）はクリップの使用状態での一部破断平面図、（Ｂ）は（Ａ）のＢ−Ｂ視断面図である。
【図４】作用を説明するための図である。
【図５】（Ａ）〜（Ｃ）は第２実施形態を示す図、（Ｄ）（Ｅ）は第３実施形態を示す図である。
【図６】第４実施形態を示す図である。
【図７】第５実施形態を示す図で、（Ａ）は平面図、（Ｂ）は正面図、（Ｃ）はクリップ１の模式的な正面図である。
【図８】図７（Ａ）の VIII-VIII視断面図である。
【図９】作用の説明図である。
【図１０】第５実施形態の作用を示す図である。
【符号の説明】
【００５６】
１  クリップ
２  環状本体部
３，４  操作部
５  直線部
６，７  カール部
８，８ａ，８ｂ  ストッパー部
１１  ナット
１２  ボルト
１３  ワーク
【図１】
2010121708.tif 000003
【図２】
2010121708.tif 000004
【図３】
2010121708.tif 000005
【図４】
2010121708.tif 000006
【図５】
2010121708.tif 000007
【図６】
2010121708.tif 000008
【図７】
2010121708.tif 000009
【図８】
2010121708.tif 000010
【図９】
2010121708.tif 000011
【図１０】
2010121708.tif 000012